(57)【要約】【課題】提示された仕様書に基づいて電気系統を構成する機器を選択する各選定者の選定作業を補助し、統一された基準内容で機器及び定格等の選定ができるようにした電気系統の単線結線図自動作図システムを提供すること。【解決手段】制御装置１、記憶装置２、入力装置３、表示装置４、及び印刷装置５を具備する電気系統の自動作図システムであって、記憶装置２は、少なくとも電動機データと保護機器データとからなる系統データベース２−１と、系統図表示のための単位画像データベース２−２を備え、入力装置３は所定の選択項目を選択する選択手段を備え、制御装置１は入力装置３からの入力にしたがって系統データベース２−１を検索し、該検索結果を作表データベースに登録し、該作表データベースのデータを単位画像データベース２−２のデータと組合せに変換して表示装置４に表示、作表データベースのデータを外部アプリケーションのデータ構造に変換して印刷装置５に出力する。【選択図】図２
2005078561.tif 000002
【特許請求の範囲】
【請求項１】
制御装置、記憶装置、入力装置、表示装置、及び印刷装置を具備する電気系統の自動作図システムであって、
前記記憶装置は、少なくとも電動機データと保護機器データとからなる系統データベースと、系統図表示のための単位画像データベースを備え、
前記入力装置は所定の選択項目を選択する選択手段を備え、
前記制御装置は前記入力装置からの入力にしたがって前記系統データベースを検索し、該検索結果を作表データベースに登録する手段と、該作表データベースのデータを前記単位画像データの組合せに変換して前記表示装置に表示する手段、前記作表データベースのデータを外部アプリケーションのデータ構造に変換して前記印刷装置に出力する手段を備えたことを特徴とする電気系統の自動作図システム。
【請求項２】
請求項１に記載の電気系統の自動作図システムにおいて、
前記選択項目はモータ容量、電圧、起動方式を含むことを特徴とする電気系統図の自動作図システム。
【請求項３】
請求項１又は２に記載の電気系統の自動作図システムにおいて、
前記入力装置が主にマウス又はキーボードであることを特徴とする電気系統の自動作図システム。
【請求項４】
請求項１乃至３のいずれか１項に記載の電気系統の自動作図システムにおいて、
前記系統データベース及び単位画像データベースの電気系統の単線結線図に適応していることを特徴とする電気系統図の自動作図システム。
【請求項５】
請求項１乃至４のいずれか１項に記載の電気系統の自動作図システムにおいて、
前記系統データベース及び単位画像データベースのデータは前記入力装置からの入力により修正が可能であることを特徴とする電気系統の自動作図システム。
【請求項６】
請求項１乃至５のいずれか１項に記載の電気系統の自動作図システムにおいて、
前記系統データベース及び単位画像データベースのデータはネットからも得られることを特徴とする電気系統の自動作図システム。
【発明の詳細な説明】
【技術分野】
【０００１】
本発明は、コンピュータを使用した電気系統の選択型設計支援システムに関し、各種電動機の保護機能を設計する際に必要な基礎データ及び系統データを使用して電気系統を自動的に作図する自動作図システムに関するものである。
【背景技術】
【０００２】
各種電動機制御に用いる電気制御盤、計測制御盤のハードウエアを構成する機器の選定には多くの選定作業（主にドキュメントチェック）が不可欠である。従来、この種の作業は図１に示すような作業手順で行われていた。
【０００３】
先ず今回の見積、設計の仕様を確認理解し、選定要件にてメーカカタログ等を参照し（ステップＳＴ１）、各社標準機器の手作業による選定品のチェックを行い（ステップＳＴ２）、選定した選定品を一時メモに書き出し（ステップＳＴ３）、該メモを見ながら選定品データをＣＡＤに手入力し、ＣＡＤソフト使用による図面化を手作業で行う（ステップＳＴ４）。続いて購入仕様書、手配仕様書、ユーザー支給品リスト、納入チェックリスト等の各種帳票を作成して設計通知書を作成し（ステップＳＴ５）、関連部門に通知送付する（ステップＳＴ６）。
【０００４】
また、コンピュータを使用する場合でも、キーボードによる文字、数字入力により基礎データの入力が必要であった。また、各仕様作成者が、独自に作成している選定表で上記の選定作業を行う場合でも、ＣＡＤソフト等への入力は手作業のままであった。
【発明の開示】
【発明が解決しようとする課題】
【０００５】
上記従来の機器の選定作業方法は、高度な電気知識をもった者、所謂エキスパートエンジニアでなければ取り扱えない要素がある。また、作図化に際しても、キーボードによる文字、数字等の入力を要するため記号や図表の転記ミスが発生し、作業性が悪いものであった。
【０００６】
本発明は、前記選定作業を標準化し、標準値の公開により、機器の選定作業を容易にするものであり、高度の電気的専門知識を必要とすることなく、簡単な操作で容易に必要な機器のデータを選択でき、電気系統の作図を自動的に作成できる電気系統の自動作図システムを提供することを目的とする。
【０００７】
また、本発明は、提示された仕様書に基づいて電気系統を構成する機器を選択する各選定者の選定作業を補助し、統一された基準内容で機器及び定格等の選定ができるようにした電気系統の単線結線図自動作図システムを提供することを目的とする。
【０００８】
また、本発明は、作図ソフトの部品ユニットを操作、検索することにより、独自のデータベース処理による発注、検収、製品試験、納入管理等が可能な電気系統の自動作図システムを提供することを目的とする。
【課題を解決するための手段】
【０００９】
上記課題を解決するため請求項１に記載の発明は、制御装置、記憶装置、入力装置、表示装置、及び印刷装置を具備する電気系統の自動作図システムであって、記憶装置は、少なくとも電動機データと保護機器データとからなる系統データベースと、系統図表示のための単位画像データベースを備え、入力装置は所定の選択項目を選択する選択手段を備え、制御装置は入力装置からの入力にしたがって系統データベースを検索し、該検索結果を作表データベースに登録する手段と、該作表データベースのデータを単位画像データの組合せに変換して表示装置に表示する手段、作表データベースのデータを外部アプリケーションのデータ構造に変換して印刷装置に出力する手段を備えたことを特徴とする。
【００１０】
請求項２に記載の発明は、請求項１に記載の電気系統の自動作図システムにおいて、選択項目はモータ容量、電圧、起動方式を含むことを特徴とする。
【００１１】
請求項３に記載の発明は、請求項１又は２に記載の電気系統の自動作図システムにおいて、入力装置が主にマウス又はキーボードであることを特徴とする。
【００１２】
請求項４に記載の発明は、請求項１乃至３のいずれか１項に記載の電気系統の自動作図システムにおいて、系統データベース及び単位画像データベースの電気系統の単線結線図に適応していることを特徴とする。
【００１３】
請求項５に記載の発明は、請求項１乃至４のいずれか１項に記載の電気系統の自動作図システムにおいて、系統データベース及び単位画像データベース、該データは入力装置からの入力により修正が可能であることを特徴とする。
【００１４】
請求項６に記載の発明は、請求項１乃至５のいずれか１項に記載の電気系統の自動作図システムにおいて、系統データベース及び単位画像データベースのデータはネットからも得られることを特徴とする。
【発明の効果】
【００１５】
本発明によれば、電気系統を構成する機器の選定作業が効率的に行え、選定資料、電気系統の単線結線図の作成精度が飛躍的に向上し、開発効率の優れた電気系統の単線結線図自動作図システムを提供できる。
【００１６】
また、本発明の電気系統の単線結線図自動作図システムを使用することにより、高度な電気的専門知識が無い者でも、簡単なマウス等による選択方法で電気系統の標準的な設計及び単線結線図の作図が可能となる。
【００１７】
また、コンピュータ技術であるプログラム間通信技術によって、各種作図ソフトの会話的通信が行え、これら市販作図製品との互換性に優れた単線結線図自動作図システムを提供できる。
【発明を実施するための最良の形態】
【００１８】
以下、本発明の実施の形態例を図面に基づいて説明する。図２は本発明に係る電気系統の単線結線図自動作図システムの構成例を示す図である。図示するように本単線結線図自動作図システムは、制御装置１、記憶装置２、入力装置３、表示装置４、印刷装置５、及びマウス６を具備する。記憶装置２には、後に詳述する系統データベース２−１及び単位画像データベース２−２が格納され、更に機器選定ソフト２−３及び作図ソフト２−４が格納され、バッファ２−５が設けられている。
【００１９】
図３は系統データベース２−１の構成例を示す図である。系統データベースには図示するように、番号（ＮＯ）、結線タイプ（ｔｙｐｅ）、全負荷電流値（Ａ）、主接触器（ＭＣＭ）、始動用接触器（ＭＣ☆）、運転用接触器（ＭＣΔ）、サーマル型式（Ｔｈ）、サーマル保護範囲（Ａ）、経済型ブレーカ（ＥＡ）、汎用ブレーカ（ＳＡ）、遮断電流値（ｔｒｉｐ）、電線サイズ（ｍａｉｎ）、電線サイズ（１）、電線サイズ（２）、電線サイズ（３）、電線サイズ（４）、漏電ブレーカ経済型、漏電ブレーカ汎用型の各データがモデル化され、即ち最適化されて格納している。また、直入れタイプ及びスターデルタタイプのデータをデフオルトとして格納されている。そしてこのデータベースは結線タイプを検索キーとして検索するものである。
【００２０】
図４は単位画像データベース２−２の構成例を示す図である。単位画像データベースは図示するように、ブレーカ、漏電ブレーカ、主接触器、サーマル継電器、電動機、外線端子記号に対応して、それぞれ表示する単位画像のデータが格納されている。また、前記それぞれの単位画像データ、複数の標準化規準、例えば新ＪＩＳと旧ＪＩＳに対応して選択可能に格納されている。
【００２１】
上記構成の単線結線図自動作図システムを用いて単線結線図を作図する作業手順を以下に説明する。先ず、本システムを起動する。これにより、制御装置１は、表示装置４の画面に図５に示す基本画面を表示する。基本画面には図示するような、「回路名称」、「電圧区分」、「始動方式区分」、「保護機器」及び「容量」からなるモータ保護機器選定データベース管理画面Ｚが表示される。
【００２２】
ここで、始動方式区分の「○じか入（直入）」とは、図６の回路Ａに示すように、ブレーカ（ＭＣＢ１）、主接触器（５２−１）、サーマル継電器（４９−１）、電動機（Ｍ１）からなる電動機Ｍ１に直接電源を投入する回路を指す。また、「○可逆」とは図６の回路Ｂに示すように、ブレーカ（ＭＣＢ２）、主接触器（５２−２Ｆ）と主接触器（５２−２Ｒ）の並列回路、サーマル継電器（４９−２）、電動機（Ｍ２）からなり、電動機Ｍ２を正逆転できる回路を指し、「○電源送り」とは図６の回路Ｃに示すように、ブレーカ（ＭＣＢ３）を通して装置に単に電源を送る回路Ｃを指す。更に「○☆Δ）」とは図６の回路Ｄに示すようにブレーカ（ＭＣＢ４）、主接触器（５２−４）、サーマル継電器（４９−４）、接触器（１９−４）、接触器（６−４）、電動機（Ｍ４）からなる回路でスターデルタ方式で始動するタイプを指す。なお、図５の「○」印は選択マークを示す。
【００２３】
先ず、操作者は入力装置３のキーボードを操作して、モータ保護機器選定データベース管理画面Ｚの「回路名称」の欄に名称、例えば「送風機」をキーボードから書き込むか、又はマウスで選択する。続いてマウス６を操作し、○２００Ｖ又は○４００Ｖの電圧区分を選択し、更に同じくマウス６を操作により、○じか入又は○可逆又は○電源送り又は○☆Δの始動方式区分を選択し、○ブレーカ汎用又は○漏電ブレーカの保護機器区分を選択する。そして対象機器の容量をプルダウンメニューより選択する。上記選択層操作により「機器」の欄が更新表示されるから、操作者はその表示を見て指定した回路の機器を確認する。これらの選択操作は上記のように入力装置３のキーボート又はマウス６の操作により行う。ついで制御装置１は、機器選択ソフト２−３を起動し、前記選択されたデータを結線タイプとしてデータ化した当該データをキーワードとして系統データベース２−１を検索し、機器を選択する。
【００２４】
続いて、マウス６の操作により「回路リスト」ボタンを操作することにより、回路リスト欄に回路名、始動、回路電圧・電流、ブレーカのリストが表示されると共に、これらのデータがバッファ２−５に一時保存される。次に「帳票出力」ボタンを操作することにより、図７に示すように電気系統の名称（ＮＡＭＥ）毎（例えば、送風機、コンベア、コンプレッサ、ミル主機）に、起動方式（ＳＴＡＲＴ）（直（直入）、可逆、送り（電源送り）、☆Δ（スターデルタ））、容量（５．５ｋＷ、３０ｋＷ、５５ｋＷ、５５ｋＷ、）、電圧（２００Ｖ、２００Ｖ、４００Ｖ、４００Ｖ）、全負荷容量（２２．５Ａ、１０７Ａ、９５Ａ、９５Ａ）が選定され、それに対応して回路のリストが作成され、必要であれば制御装置１により印刷装置５を起動することにより、印字出力される。
【００２５】
続いて、マウス６の操作により「ＣＡＤ出力」ボタンを選択することにより、制御装置１は作図ソフト２−４を起動し、上記回路リストに基づいて単位画像データベース２−２から各機器の単位画面データを抽出し、作図ソフト２−４により、図６に示すような電気系統の単線図を作図する。更に印刷装置５を起動し、この作図したデータを印刷装置５に出力することにより、図６に示すような電気系統の単線結線図が印刷される。なお、作図ソフト２−４には、ここでは市販の作図ソフトを用いている。
【００２６】
以上本発明の実施形態を説明したが、本発明は上記実施形態に限定されるものではなく、特許請求の範囲、及び明細書と図面に記載された技術的思想の範囲内において種々の変形が可能である。例えば、系統データベース２−１や単位画像データベース２−２のデータ及び各種データは入力装置３からの入力により修正することが可能である。また、ネット上のデータを入力することも可能である。
【図面の簡単な説明】
【００２７】
【図１】従来の電気系統の電機機器の選定設計作業手順を示す図である。
【図２】本発明に係る電気系統の単線結線図自動作図システムの構成例を示す図である。
【図３】本発明に係る電気系統の単線結線図自動作図システムに用いる系統データベースの構成例を示す図である。
【図４】本発明に係る電気系統の単線結線図自動作図システムに用いる単位画像データベースの構成例を示す図である。
【図５】本発明に係る電気系統の単線結線図自動作図システムの表示装置に表示される基本画面の構成例を示す図である。
【図６】本発明に係る電気系統の単線結線図自動作図システムで作図された単線結線図例を示す図である。
【図７】本発明に係る電気系統の単線結線図自動作図システムで作図された回路リスト例を示す図である。
【符号の説明】
【００２８】
１      制御装置
２      記憶装置
２−１  系統データベース
２−２  単位画像データベース
２−３  機器選定ソフト
２−４  作図ソフト
３      入力装置
４      表示装置
５      印刷装置
６      マウス
【図１】
2005078561.tif 000003
【図２】
2005078561.tif 000004
【図３】
2005078561.tif 000005
【図４】
2005078561.tif 000006
【図５】
2005078561.tif 000007
【図６】
2005078561.tif 000008
【図７】
2005078561.tif 000009